(57)【特許請求の範囲】
【請求項１】
他の情報処理装置との通話機能を操作するための通話操作部を含むリモコン画面を表示する情報処理装置において、
前記リモコン画面の表示の同期の対象とする他の情報処理装置を設定する設定手段と、
前記リモコン画面に対する操作を受け付けると、該操作による前記リモコン画面の表示変更を制御する表示制御データを生成して、前記設定された他の情報処理装置へ送信する送信手段と、
前記設定された他の情報処理装置から送信された表示制御データを受信する受信手段と、
前記受け付けられた操作又は受信された前記表示制御データに基づいて前記リモコン画面の表示を更新する反映手段と、
を備えたことを特徴とする情報処理装置。
【請求項２】
前記リモコン画面に対する操作は、前記リモコン画面の表示設定をする操作であって、
前記送信手段は、前記表示設定をする操作に応じて前記リモコン画面の表示変更を制御する前記表示制御データを生成して送信する
ことを特徴とする請求項１に記載の情報処理装置。
【請求項３】
前記送信手段は、前記表示制御データの送信と共に、前記リモコン画面の表示変更を行う権利を表す情報を前記他の情報処理装置へ移転させ、前記反映手段は、前記権利を表す情報を保持している場合に、前記リモコン画面に対する表示変更の操作を受け付けて、前記リモコン画面を更新する
ことを特徴とする請求項２に記載の情報処理装置。
【請求項４】
前記反映手段は、前記受信手段により受信された前記表示制御データに基づく表示の変更箇所を前記リモコン画面において一時的に明示し、その変更への同意操作を受け付けることに応じて前記リモコン画面を更新する
ことを特徴とする請求項２又は３に記載の情報処理装置。
【請求項５】
前記操作による第１の表示制御データと、前記受信手段により受信された第２の前記表示制御データと、の間で予め定められた抵触の有無を判定する抵触判定手段を有し、
前記反映手段は、
前記抵触判定手段により前記抵触が無いと判定されたときは、前記第１の表示制御データ及び前記第２の表示制御データを前記リモコン画面に反映させ、
前記抵触判定手段により前記抵触が有ると判定されたときは、前記第１の表示制御データ及び前記第２の表示制御データを前記リモコン画面において対比して表示し、選択操作を受け付けた表示制御データに基づいて前記リモコン画面を更新し、選択操作のなかった表示制御データの取消を前記他の情報処理装置へ通知する
ことを特徴とする請求項２記載の情報処理装置。
【請求項６】
前記送信手段は、
前記表示設定の操作が前記他の情報処理装置との通話に係る内容である場合に、該表示制御データに自装置を示す情報を設定して送信することを特徴とする請求項２から５の何れか一項に記載の情報処理装置。
【請求項７】
前記送信手段は、前記リモコン画面に含まれるテレビ機能を操作するためのテレビ操作部に対する操作に応じて前記リモコン画面の表示変更を制御する前記表示制御データを生成して送信する
ことを特徴とする請求項１から６の何れか一項に記載の情報処理装置。
【請求項８】
前記送信手段は、前記他の情報処理装置との通話中に、前記リモコン画面に含まれるテレビ機能を操作するためのテレビ操作部への操作が行われた場合、その操作を再生するための操作データを生成して、前記表示制御データに合わせて該他の情報処理装置に送信する操作同期手段を更に備える
ことを特徴とする請求項１から７の何れか一項に記載の情報処理装置。
【請求項９】
請求項１から８のいずれか一項に記載の情報処理装置を複数備えたことを特徴とするシステム。
【請求項１０】
他の情報処理装置との通話機能を操作するための通話操作部を含むリモコン画面をコンピュータが表示する情報処理装置における情報処理方法であって、
前記リモコン画面の表示の同期の対象とする他の情報処理装置を設定する設定処理と、
前記リモコン画面に対する操作を受け付けると、該操作による前記リモコン画面の表示変更を制御する表示制御データを生成して、前記設定された他の情報処理装置へ送信する送信処理と、
前記設定された他の情報処理装置から送信された表示制御データを受信する受信処理と、
前記受け付けられた操作又は受信された前記表示制御データに基づいて前記リモコン画面の表示を更新する反映処理と、
をコンピュータが実行することを特徴とする情報処理方法。
【請求項１１】
情報処理装置のコンピュータに、他の情報処理装置との通話機能を操作するための通話操作部を含むリモコン画面を表示させるコンピュータ・プログラムであって、
前記リモコン画面の表示の同期の対象とする他の情報処理装置を設定する設定処理と、
前記リモコン画面に対する操作を受け付けると、該操作による前記リモコン画面の表示変更を制御する表示制御データを生成して、前記設定された他の情報処理装置へ送信する送信処理と、
前記設定された他の情報処理装置から送信された表示制御データを受信する受信処理と、
前記受け付けられた操作又は受信された前記表示制御データに基づいて前記リモコン画面の表示を更新する反映処理と、
をコンピュータに実行させることを特徴とするコンピュータ・プログラム。 
【発明の詳細な説明】
【技術分野】
【０００１】
本発明は、遠隔地間でのコミュニケーション機能を提供する情報処理装置に関する。
【背景技術】
【０００２】
広く普及しているテレビは居間などの家族の共有空間に設置され、家族間での話題として、コミュニケーションを促す利点がある。これと同様、遠隔地にいる人同士の場合にも、同じテレビ番組を視聴することで同じ場にいるようなコミュニケーションを図ることができる。
【０００３】
テレビに関するコミュニケーションという観点の技術としては、複数のテレビ間でＩＰ網を介し、視聴チャンネル番号を伝達して同じチャンネルを視聴したりテレビを介したＩＰ電話の通話を実現する技術が知られている（例えば、特許文献１参照）。
【先行技術文献】
【特許文献】
【０００４】
【特許文献１】特開２００８−１８２４６１号
【発明の概要】
【発明が解決しようとする課題】
【０００５】
ところで近年のテレビは多機能化が進み、リモコンの操作面もボタンが増えるなど複雑化してきており、その操作面はメーカーや型式毎に異なる。そのため、遠隔地のユーザ間の双方が相手の目前の操作面を把握できず、同じチャンネルの選局などテレビ操作を共有することは容易ではない。
【０００６】
上記特許文献のような技術によれば、チャンネルの同期が可能になり、離れた場所でも同じチャンネルを視聴することはできる。しかし、単にチャンネルの同期をとる従来の技術では、一方のリモコンによるチャンネル切替が一方的に他方へ反映されるだけで、同じ場を共有するようなコミュニケーションは不可能であった。
【０００７】
本発明の目的は、テレビを介したコミュニケーションを遠隔地のユーザの間でも効果的に促進することである。
【課題を解決するための手段】
【０００８】
上記の目的をふまえ、本発明の一態様（１）は、テレビ機能を操作するためのテレビ操作部と、他の情報処理装置との通話機能を操作するための通話操作部と、を含むリモコン画面を表示する情報処理装置において、前記リモコン画面の表示の同期の対象とする他の情報処理装置を設定する設定手段と、前記リモコン画面に対する操作を受け付けると、該操作による前記リモコン画面の表示変更を制御する表示制御データを生成して、前記設定された他の情報処理装置へ送信する送信手段と、前記設定された他の情報処理装置から送信された表示制御データを受信する受信手段と、前記受け付けられた操作又は受信された前記表示制御データに基づいて前記リモコン画面の表示を更新する反映手段と、を備えたことを特徴とする。
【０００９】
本発明の他の態様（９）は、上記態様をシステムのカテゴリで捉えたもので、上記いずれかの態様における情報処理装置を複数備えたことを特徴とする。
【００１０】
本発明の他の態様（１０）は、上記態様を方法のカテゴリで捉えたもので、テレビ機能を操作するためのテレビ操作部と、他の情報処理装置との通話機能を操作するための通話操作部と、を含むリモコン画面をコンピュータが表示する情報処理装置における情報処理方法であって、前記リモコン画面の表示の同期の対象とする他の情報処理装置を設定する設定処理と、前記リモコン画面に対する操作を受け付けると、該操作による前記リモコン画面の表示変更を制御する表示制御データを生成して、前記設定された他の情報処理装置へ送信する送信処理と、前記設定された他の情報処理装置から送信された表示制御データを受信する受信処理と、前記受け付けられた操作又は受信された前記表示制御データに基づいて前記リモコン画面の表示を更新する反映処理と、をコンピュータが実行することを特徴とする。
【００１１】
本発明の他の態様（１１）は、上記態様をプログラムのカテゴリで捉えたもので、情報処理装置のコンピュータに、テレビ機能を操作するためのテレビ操作部と、他の情報処理装置との通話機能を操作するための通話操作部と、を含むリモコン画面を表示させるコンピュータ・プログラムであって、前記リモコン画面の表示の同期の対象とする他の情報処理装置を設定する設定処理と、前記リモコン画面に対する操作を受け付けると、該操作による前記リモコン画面の表示変更を制御する表示制御データを生成して、前記設定された他の情報処理装置へ送信する送信処理と、前記設定された他の情報処理装置から送信された表示制御データを受信する受信処理と、前記受け付けられた操作又は受信された前記表示制御データに基づいて前記リモコン画面の表示を更新する反映処理と、をコンピュータに実行させることを特徴とする。
【００１２】
本発明の他の態様（２）は、上記いずれかの態様において、前記リモコン画面に対する操作は、前記リモコン画面の表示設定をする操作であって、前記送信手段（「手段」は方法及びプログラムにあっては「処理」又は「ステップ」と読み替える。以下同じ）は、前記表示設定をする操作に応じて前記リモコン画面の表示変更を制御する前記表示制御データを生成して送信することを特徴とする。
【００１３】
本発明の他の態様（３）は、上記いずれかの態様において、前記送信手段は、前記表示制御データの送信と共に、前記操作表示部の表示設定をする権利を表す情報を前記他の情報処理装置へ移転させ、前記反映手段は、前記権利を表す情報を保持している場合に前記リモコン画面に対する表示設定をする操作を受け付けて、前記リモコン画面を更新することを特徴とする。
【００１４】
本発明の他の態様（４）は、上記いずれかの態様において、前記反映手段は、前記受信手段により受信された前記表示制御データに基づく表示の変更箇所を前記リモコン画面において一時的に明示し、その変更への同意操作を受け付けることに応じて前記リモコン画面を更新することを特徴とする。
【００１５】
本発明の他の態様（５）は、上記いずれかの態様において、前記操作による第１の表示制御データと、前記受信手段により受信された第２の前記表示制御データと、の間で予め定められた抵触の有無を判定する抵触判定手段を有し、前記反映手段は、前記抵触判定手段により前記抵触が無いと判定されたときは、前記第１の表示制御データ及び前記第２の表示制御データを前記リモコン画面に反映させ、前記抵触判定手段により前記抵触が有ると判定されたときは、前記第１の表示制御データ及び前記第２の表示制御データを前記リモコン画面において対比して表示し、選択操作を受け付けた表示制御データに基づいて前記リモコン画面を更新し、選択操作のなかった表示制御データの取消を前記他の情報処理装置へ通知することを特徴とする。
【００１６】
本発明の他の態様（６）は、上記いずれかの態様において、前記送信手段は、前記表示設定の操作が前記他の情報処理装置との通話に係る内容である場合に、該表示制御データに自装置を示す情報を設定して送信することを特徴とする。
【００１７】
本発明の他の態様（７）は、上記いずれかの態様において、前記リモコン画面に対する操作は、前記テレビ機能に対する操作であって、前記送信手段は、前記テレビ機能に対する操作に応じて前記リモコン画面の表示変更を制御する前記表示制御データを生成して送信することを特徴とする。
【００１８】
本発明の他の態様（８）は、上記いずれかの態様において、前記送信手段は、前記他の情報処理装置との通話中に、前記テレビ機能の操作が行われた場合、その操作を再生するための操作データを生成して、前記表示制御データに合わせて該他の情報処理装置に送信する操作同期手段を更に備えることを特徴とする。
【発明の効果】
【００１９】
本発明によれば、テレビを介したコミュニケーションを遠隔地のユーザの間でも効果的に促進することが可能となる。
【図面の簡単な説明】
【００２０】
【図１】本発明の実施形態について構成を示す機能ブロック図。
【図２】本発明の実施形態における画面表示例を示す図。
【図３】本発明の実施形態における処理手順を示すフローチャート。
【図４】本発明の実施形態における画面表示例を示す図。
【図５】本発明の実施形態における画面表示例を示す図。
【図６】本発明の実施形態における画面表示例を示す図。
【発明を実施するための形態】
【００２１】
次に、本発明を実施するための形態（「実施形態」と呼ぶ）について図に沿って例示する。なお、背景技術や課題などで既に述べた内容と共通の前提事項は適宜省略する。
【００２２】
〔１．構成〕
本実施形態は、図１の構成図に示すように、テレビ（符号「ＴＶ」で表す）を操作するリモコン機能を実現する情報処理装置１（「本装置」又は「本装置１」とも呼ぶこととする）及び情報処理装置２（「相手装置」又は「相手装置２」ともよぶこととする）を通信ネットワークＮを介して接続することにより、本装置１と相手装置２にそれぞれ表示するリモコン画面を同期するシステムに関する。
【００２３】
本装置１と相手装置２の構成は共通でよく、併せて「装置」とも総称することとする。相手装置２からみれば本装置１も相手装置と言えるが、以下では説明の便宜上、主に本装置１の構成や作用に沿って、「息子」が用いる本装置１と、「おじいちゃん」が用いる相手装置２との同期を例にとる。
【００２４】
装置１及び２は、テレビのリモコンとして動作する情報端末で、例えば、スマートフォンに専用のアプリ（アプリケーション・ソフトウェア）などのコンピュータ・プログラム（「リモコンアプリ」とも呼ぶこととする）をインストールし実行させることで実現される。
【００２５】
すなわち、装置１及び２はそれぞれ、図２（１）及び（２）に例示するように、テレビ機能を操作するためのテレビ操作部Ｖと、他の情報処理装置との通話機能を操作するための通話操作部Ｐ（通話開始用ボタンなど）と、を含むリモコン画面Ｒを、タッチパネル機能付き表示画面Ｇに表示する情報処理装置である。
【００２６】
本装置１は、コンピュータの構成として少なくとも、ＣＰＵなどの演算制御部６と、主メモリや補助記憶装置等の記憶部７と、図示しない通信ネットワーク（例えば、インターネット、携帯電話、ＰＨＳ、公衆無線ＬＡＮなどの移動通信網など）との通信部８（例えば、無線や有線の各種通信アダプタ、その他の通信回路、通信機器など）と、静電容量方式に代表されるタッチパネル機能付きの液晶や有機ＥＬなどの表示画面Ｇと、を有する。
【００２７】
本装置１では、記憶部７に記憶したコンピュータ・プログラム（情報処理プログラム）を演算制御部６が実行することで、図１に示す各手段などの要素を実現する。実現される要素のうち情報の記憶手段の態様は自由で、記憶部７上のファイルなど任意のデータ形式で実現できるほか、ネットワーク・コンピューティング（クラウド）によるリモート記憶などでもよい。
【００２８】
また、記憶手段は、データの格納領域だけでなく、データの入出力や管理などの機能を含んでもよい。また、本出願に示す記憶手段の単位は説明上の便宜によるもので、適宜、構成を分けたり一体化できるほか、明示する記憶手段以外にも、各手段の処理データや処理結果などを記憶する記憶手段を適宜用いるものとする。
【００２９】
なお、図中（例えば図１）の矢印は、データや制御などの流れについて主要な方向を補助的に示すもので、他の流れを否定するものでも、方向の限定を意味するものでもない。また、記憶手段以外の各手段は、以下のような情報処理の機能・作用（例えば図１）を実現・実行する処理手段であるが、これらは説明のために整理した機能単位であり、実際のハードウェア要素やソフトウェアモジュールとの一致は問わない。
【００３０】
〔２．作用〕
上記のように構成された本装置１における処理手順のうち本実施形態に特に関わる部分を図３のフローチャートに示す。
〔２−１．作用の概要〕
このうち作用の概要を取り出して述べると、まず、例えば本装置１の設定手段２０が、リモコン画面の表示の同期の対象とする他の情報処理装置（例えば相手装置２）をユーザの操作に応じて設定する（ステップＳ１１）。
【００３１】
本装置１においてリモコン画面に対する操作を受け付けると（ステップＳ１２：「ＹＥＳ」）、送信手段３２が、この操作によるリモコン画面の表示変更を制御する表示制御データを生成して、同期対象として設定された相手装置２へ送信する（ステップＳ１３）。
【００３２】
相手装置２では受信手段４０が、同期相手である本装置１から送信された表示制御データを受信する（ステップＳ１７：「ＹＥＳ」）。そして、本装置１及び相手装置２の反映手段５４は、リモコン画面上で受け付けられた操作又は受信された表示制御データに基づいてリモコン画面の表示を更新する（ステップＳ１４、Ｓ２２）。
【００３３】
〔２−２．表示制御データの送信まで〕
上に挙げた処理の各段階のうち、まず、同期の対象とする相手装置の設定（ステップＳ１１）は、例えば、図２（１）のリモコン画面を表示している装置１のアプリと、図２（２）のリモコン画面を表示している装置２のアプリとの間で、それぞれのユーザによる所定の操作に基づき、互いを識別する情報をパケット通信やＳＭＳ（ショートメッセージサービス）などで交換することによって行う。
【００３４】
また、リモコン画面に対する操作の代表例は、操作面（ＵＩ）の表示状態を変更する操作である。この場合、送信手段３２は、操作面を変更する操作に応じてリモコン画面の表示を変更させる制御をする表示制御データを生成して送信する。この表示制御データを受信した装置は、該データに基づいて、自装置のリモコン画面の操作面を変更する。リモコン画面には二つの領域があり、テレビ機能を操作するためのテレビ操作部Ｖと、他の情報処理装置との通話機能を操作するための通話操作部Ｐがある。
【００３５】
リモコン画面に対する操作は、通話操作部Ｐに対する操作であってもよいし、テレビ操作部Ｖを対象とし、テレビ機能に対する操作であってもよい。前者の例として、図２（１）及び（２）では、特定のボタンＢ３、Ｂ４を押すと特定の相手「会社」「蕎麦屋」に通話を発信する設定であり、その新規設定や変更が考えられる。リモコン画面に対する表示変更の操作は、ボタンの長押しやメニュー呼び出しなど適宜な設定操作で入力する。
【００３６】
後者の例としては、テレビのチャンネルボタン（選局ボタン）の配置や、ボタンの名称の変更などが考えられる。例えば、図２（１）のボタンＢ１は「新東京ＴＶ」、図２（２）のボタンＢ２は「東首都ＴＶ」への各々選局ボタンであり、これらの新規設定や変更が考えられる。この場合、送信手段３２は、テレビ機能に対する操作に応じてリモコン画面の表示変更を制御するための表示制御データを生成して相手装置に送信する（ステップＳ１３）。
【００３７】
〔２−３．受信した表示制御データの反映〕
相手装置（例えば装置２）からの表示制御データの受信が（ステップＳ１７：「ＹＥＳ」）自装置（例えば本装置１）でされた操作から所定時間（例えば１秒、５秒など）内に発生した場合（ステップＳ１８：「ＹＥＳ」）、相手装置と自装置とのそれぞれの操作間の抵触の有無に応じ必要な選択操作を受け付ける。
【００３８】
すなわち、抵触判定手段５５が、自装置での操作により生成した第１の表示制御データと、受信手段４０により相手装置から受信された第２の表示制御データと、の間で予め定められた抵触の有無を判定する（ステップＳ２４）。
【００３９】
抵触の条件は任意に設定できるが、例えば、自装置でテレビ局のチャンネルへの選局をボタンに設定した直後、相手装置側で同じボタンに別の選局を設定しようとする場合がある。また、自装置で既にボタンに設定済みの選局を相手装置側で他のボタンに重複設定しようとする場合などもある。
【００４０】
反映手段５４は、抵触判定手段５５により抵触が有ると判定されたときは（ステップＳ２５:「ＹＥＳ」）、第１の表示制御データ及び第２の表示制御データそれぞれに基づくリモコン画面を対比して一画面に表示し（ステップＳ２６）、選択操作を受け付ける（ステップＳ２７）。
【００４１】
図４は、装置２で「東首都ＴＶ」を設定した直後に、装置１から同じボタンに別の選局である「新東京ＴＶ」を設定するための第２の表示制御データが送信されてきた例であり、それぞれの選択肢に対応するリモコン画面を左右方向の横幅を約半分ずつに圧縮して対比表示し、楕円型で示すダイアログボックスＤ１でいずれかの選択が求められている。
【００４２】
そして、このような選択操作（ステップＳ２７）を受け付けた側の表示制御データに基づいて自装置と相手装置とのリモコン画面を更新し（ステップＳ２８）、選択操作のなかった表示制御データの取消を他の情報処理装置へ通知する（ステップＳ２９）。選択操作の無かった表示制御データが自装置での操作に基づく第１の表示制御データであった場合、その操作によるリモコン画面の表示の更新（ステップＳ１４）は、選択された第２の表示制御データに基づく更新（ステップＳ２８）により上書きされることとなる。
【００４３】
表示制御データの受信（ステップＳ１７：「ＹＥＳ」）が自装置で行われた変更操作から所定時間内でない場合（ステップＳ１８：「ＮＯ」）、又は抵触判定手段５５により抵触が無いと判定された場合は（ステップＳ２５：「ＮＯ」）、反映手段５４は、自装置で生成した表示制御データか、相手装置から受信した表示制御データに基づいてリモコン画面を変更する。
【００４４】
図３の処理手順において、反映手段５４は、自装置での操作による第１の表示制御データは直ちに反映させ（ステップＳ１４）、相手装置側での操作に基づいて生成された受信した（第２の）表示制御データについては、ユーザの同意を待って反映させるが（ステップＳ１９からＳ２２）、自装置での操作による第１の表示制御データについても抵触が無いと判定されるのを待って（ステップＳ２５：「ＮＯ」）、反映させるようにしてもよい。
【００４５】
但し、本実施形態では、表示制御データの受信（ステップＳ１７：「ＹＥＳ」）が、自装置で行われた操作から所定時間経過していない場合（ステップＳ１８：「ＮＯ」）、又は抵触判定手段５５により抵触が無いと判定されたときでも（ステップＳ２５：「ＮＯ」）、同意を得たうえ反映させる。
【００４６】
具体的には、反映手段５４は、受信手段４０により受信された表示制御データに基づく表示の変更箇所をリモコン画面において一時的に明示し（ステップＳ１９。図５の「東首都ＴＶ」の部分）、その変更への同意操作（ステップＳ２０）を例えばダイアログボックスＤ２を用いて受け付けることに応じて（ステップＳ２１：「ＹＥＳ」）、リモコン画面を更新する（ステップＳ２２）。
【００４７】
〔２−４．その他の情報の伝達〕
また、送信手段３２は、表示変更の操作（ステップＳ１２）が他の情報処理装置との通話に係る内容である場合に、その表示制御データに自装置を示す情報を設定して送信する（ステップＳ１３）。図６は、通話機能を操作するための通話操作部Ｐにおいて、互いに相手装置との通話を開始するためのボタンＢ３とＢ４を設ける操作の例を示す。この場合、各装置は自装置を示す情報として、例えば通話相手となるべきユーザの互いの名前などを相手装置へ送信する。
【００４８】
自装置を示す情報は、その都度ユーザから指定を受け付けてもよいし、自装置やインターネット上などでユーザが利用している各種電子電話帳やＳＮＳ（ソーシャルネットワーキングサービス）の登録情報から氏名等を取得する。
【００４９】
図６の例では、本装置１（図６（１）に対応）からは自装置を示す情報である文字列「息子」が、相手装置２（図６（２）に対応）へ送信されてボタンＢ４に組み込まれて表示される。反対に、相手装置２からは文字列「おじいちゃん」が、息子の本装置１へ送信されてボタンＢ３に組み込まれて表示されてもよい。
【００５０】
これにより、自装置から相手へ通話を発信するためのボタンには相手の情報を設定するとともに、相手装置から自分宛てに通話を発信するためのボタンに自分の名前を表示するなど、コミュニケーションを行う相手向けに最適化された表示を相手装置に表示できる。
【００５１】
なお、テレビ操作部Ｖや通話操作部Ｐについて、各種ボタンをまとめるか複数の部分に分けるかなどの配置や、それぞれに属するボタンなどの構成要素の数や種類などは変更可能である。例えば、図６に例示するように、各々のリモコン画面の通話表示部Ｐ２に、通話時に各装置の内蔵カメラなどで撮影する相手や自分のテレビ電話用動画像Ｍ１、Ｍ２などを表示するようにしてもよい。このような動画像の画面中における表示位置や表示サイズの変更などを、リモコン画面に対する表示設定の操作として同期できるようにしてもよい。
【００５２】
また、相手装置と通話中のチャンネル操作は少なくとも同期する。すなわち、送信手段３２の操作同期手段３８は、他の情報処理装置との通話中にテレビ操作部の操作が行われた場合（ステップＳ１５:「ＹＥＳ」）、その操作を相手装置で再生するための操作データを生成して（ステップＳ１６）、表示制御データに合わせて、若しくは操作データ単独で相手装置に送信する（ステップＳ１６）。
【００５３】
この場合、装置の一方で切り替えたチャンネルに合わせ、遠隔操作のように他方も強制的に切り替えられるのでもよいが、切替への同意を受け付けたうえで切り替えるのでもよい。
【００５４】
〔３．効果〕
以上のように、本実施形態では、表示するテレビのリモコン画面上で、チャンネル選択などのテレビ操作部と、通話制御用の通話操作部と、を表示し、それらに対する操作の内容をデータで伝達し相手のリモコン画面にも同じ表示をさせる（例えば図６）。この結果、共通のテレビのリモコン画面を共有し、同じチャンネルの視聴などテレビ操作を容易に共有でき、さらにテレビの話題で容易に通話できるので、遠隔地のユーザ間のテレビを介したコミュニケーションを効果的に促進することができる。
【００５５】
特に、本実施形態によれば、一方の情報処理装置でリモコン画面の表示設定を変更すると、表示制御データが他方の情報処理装置に送信されることで、該他方の情報処理装置のリモコン画面の表示が変更される。この情報処理装置間でのリモコン画面の同期によって、ユーザ間で同一のリモコン画面を操作できる。従って、遠隔地のユーザ間のテレビを介したコミュニケーションの促進に寄与することができる。
【００５６】
さらに、本実施形態では、一方のリモコン画面で表示設定の操作を受け付けた変更箇所を他方のリモコン画面で一時的に明示し、変更への同意を得て実際に反映させることにより、更新を主従関係で一方的に強制することなく対等な関係でリモコン画面を共有できる。
【００５７】
加えて、本実施形態では、他の情報処理装置で受け付けた表示変更の操作と、自装置で受け付けた表示変更の操作との間で抵触しない表示変更は他方へ反映させ、抵触する表示変更はそれぞれの内容を表す表示制御データを少なくとも一方のリモコン画面で対比表示し、選択された表示制御データを反映させるとともに、選択されなかった表示制御データの取消を他方へ送信する。
【００５８】
これにより、抵触しない表示変更はリモコン画面の更新に反映され、抵触する表示変更は選択された表示設定の内容が双方のリモコン画面に反映される。従って、他の情報処理装置のユーザとの間で不都合な表示設定が予期せず相手によって行われても、何れかの表示変更の内容でリモコン画面の表示の同期をとることができる。
【００５９】
とりわけ、本実施形態では、互いに直接つながる通話開始ボタンを設けるなど通話に係る内容の変更操作の場合（例えば図６のボタンＢ３、Ｂ４）、その変更データに自装置を示す情報を設定して送信することにより、相手のリモコン画面用に自装置を示す情報を手作業で入力する煩雑な操作を省略できる。
【００６０】
ことに、本実施形態によれば、一方の情報処理装置でテレビ機能を操作すると、表示制御データが他方の情報処理装置に送信されることで、該他方の情報処理装置のリモコン画面でその操作の内容に応じて表示が変更される。このため、情報処理装置間でリモコン画面の同期によって（例えば図５、図６）、他方のユーザのリモコン操作をユーザ間で共有することができる。従って、遠隔地のユーザ間のテレビを介したコミュニケーションの促進に寄与することができる。
【００６１】
また、本実施形態では、リモコン画面の共通化に加え、通話中に一方の装置で行った操作も（ステップＳ１５：「ＹＥＳ」）データとして他方へ送信することにより（ステップＳ１６）、同じチャンネルへの切替など操作内容も伝達できる。
【００６２】
〔４．第２実施形態〕
上記実施形態（第１実施形態とする）では、相手装置での操作に基づく表示制御データは、同意を待って又は抵触する場合については選択を待ってリモコン画面に反映させたが、テレビ操作部や通話操作部の表示変更を行う権利を表す情報を装置間で交互に受け渡すようにしてもよい。
【００６３】
すなわち、第２実施形態では（図示省略）、送信手段は、表示制御データの送信と共に、表示変更を行う権利を表す情報を他の情報処理装置へ移転させ、権利を表す情報を保持している場合にリモコン画面に対する表示変更の操作を受け付ける。
【００６４】
このように、第２実施形態では、リモコン画面を一方が表示変更を変更するたびに、他方に表示変更の権利を移動させる。これにより、変更権の所在を時々で明確にしつつ、双方のユーザがバランス良くかかわって、双方にとって使いやすいリモコン画面を円滑に実現してゆくことができる。
【００６５】
〔５．他の実施形態〕
なお、上記実施形態は例示に過ぎず、本発明は、以下に例示するものやそれ以外の他の実施態様も含むものである。例えば、情報処理装置の種類はスマートフォンに限らず、また、相手装置と同種でなく例えばＰＣ（パーソナル・コンピュータ）とスマートフォンなど任意の組み合わせてもよい。また、相手装置のリモコンアプリの使用履歴や使われ方を共有、すなわち参照できるようにすれば、高齢の家族などの行動状態を確認したり、操作部の表示設定の参考にすることもできる。
【００６６】
各態様は、明記しない他のカテゴリ（方法、プログラム、端末を含むシステムなど）としても把握することができる。方法やプログラムのカテゴリについては、装置のカテゴリで示した「手段」を、「処理」や「ステップ」のように適宜読み替えるものとする。また、処理やステップの順序は、本出願に直接明記のものに限定されず、順序を変更したり、一部の処理をまとめてもしくは随時一部分ずつ実行するなど、変更可能である。
【００６７】
また、個々の手段、処理やステップを実現、実行する端末などのコンピュータは共通でもよいし、手段、処理やステップごとにもしくはタイミングごとに異なってもよい。また、上記「手段」の全部又は任意の一部を「部」（ユニット、セクション、モジュール等）と読み替えることができる。また、本出願における構成図、データの図、フローチャートなども例示に過ぎず、各要素の有無、その配置や処理実行などの順序、具体的内容などは適宜変更可能である。例えば、本装置１とサーバＳとを一体に構成することもできる。
【００６８】
また、本装置１を構成する個々の手段を実現する態様は自由で、外部のサーバが提供している機能をＡＰＩ（アプリケーション・プログラム・インタフェース）やネットワーク・コンピューティング（いわゆるクラウドなど）で呼び出して実現するなど、本発明の構成は柔軟に変更できる。さらに、本発明に関する手段などの各要素は、コンピュータの演算制御部に限らず物理的な電子回路など他の情報処理機構で実現してもよい。
【符号の説明】
【００６９】
１、２  情報処理装置
６  演算制御部
７  記憶部
８  通信部
２０  設定手段
３２  送信手段
３８  操作同期手段
４０  受信手段
５４  反映手段
５５  抵触判定手段
Ｇ  表示画面
Ｎ  通信ネットワーク
Ｐ  操作表示部
Ｒ  リモコン画面
Ｓ  サーバ
Ｖ  操作表示部
【図１】
0005619811.tif 000002
【図２】
0005619811.tif 000003
【図３】
0005619811.tif 000004
【図４】
0005619811.tif 000005
【図５】
0005619811.tif 000006
【図６】
0005619811.tif 000007